(57)【要約】【解決課題】スロットマシンの模様替えに当たってドラムユニットの交換作業を容易且つ迅速に行えるようにする。【解決手段】上部格納空間（４）にドラムユニット（５）を、また下部格納空間（６）にメダル払出し装置（７）をそれぞれ収容してなる本体枠（１）の前面の開口部（２）を被う前扉（３）を、前記上下の格納空間（４，６）に各対応させて上部扉部分（３ａ）と下部扉部分（３ｂ）とに分離切り離し、前記独立した上部扉部分（３ａ）の上縁部を前記本体枠の開口部（２）の上縁部にヒンジ装置（１０）を介して開閉自由に蝶着支持する。そして、前記上部格納空間（４）から前記ドラムユニット（５）を引き出し交換する際には、前記上部扉部分（３ａ）をヒンジ装置（１０）を支点に上方に跳ね上げ開放して隣接のスロットマシンに影響を与えることなくその交換作業を行い、スロットマシンの模様替えを行うようにする。【選択図】          図２
2004275567.tif 000002
【特許請求の範囲】
【請求項１】
本体枠の上部格納空間にドラムユニットを収め、下部格納空間にメダル払出し装置を収める一方、前面開口部を前扉によって閉塞してなるスロットマシンにおいて、
前記本体枠の上部格納空間には前後方向に支持用ガイドレールを付設し、前記前面開口部から挿入する前記ドラムユニットを出入れ自由に誘導し支持する一方、前記前扉を前記ドラムユニットを被う上部扉部分と前記メダル払出し装置を被う下部扉部分とに分離し、前記上部扉部分の上縁部を前記前面開口部の上縁部に開閉自由に蝶着支持し、前記ドラムユニットの出入れ時乃至保守点検時に跳上げ方向に開放可能にしてなることを特徴としたスロットマシン。
【請求項２】
請求項１の記載において、上部扉部分はドラムユニットの前面部と対面する中央部に透明板で被う透視窓を設け、閉塞時に該透視窓を通して前記ドラムユニットを視認可能にしてなることを特徴としたスロットマシン。
【請求項３】
請求項１又は２の記載において、上部扉部分の前面上部にはトップランプを備えてなることを特徴としたスロットマシン。
【請求項４】
請求項１乃至３の記載において、本体枠の前面開口部を被う下部扉部分の前面には上部に遊技操作用のボタン類を設備する操作台を備え、下部に放出メダルを受ける受皿を備えてなることを特徴としたスロットマシン。
【請求項５】
請求項１の記載において、上部格納空間に付設する支持用ガイドレールは本体枠の左右側板に相対向して水平に付設し、他方ドラムユニットには両側部に滑合部を備えて前記それぞれの支持用ガイドレールに滑合支持させ、前記左右の側板間に架設状態で支持させてなることを特徴としたスロットマシン。
【請求項６】
請求項１乃至５の記載において、本体枠の前面開口部の上縁部には両側部に前方に向け突き出す枢着片を相対向する如く備え、該枢着片の先端部に枢着軸を介して上部扉部分の上縁部両側部を回動自由に枢着支持し、跳上げ方向に開放可能にしてなることを特徴としたスロットマシン。
【請求項７】
請求項１乃至５の記載において、本体枠の上部内側面には先端に受部を備えた軸受部材を本体枠の前面開口部に対して出入れ自由となるように支持し、該軸受部材の前記受部に上部扉部分の上縁部を枢着軸を介して回動自由に枢着支持して該上部扉部分の開放時には前記軸受部材を前方に引き出し、閉塞時には後方に戻して本体枠の前面開口部を密閉することを特徴としたスロットマシン。
【発明の詳細な説明】
【０００１】
【発明の属する技術分野】
本発明は、スロットマシンに関する。
【０００２】
【従来の技術】
一般にスロットマシンは、箱形の本体枠の内部空間に通常３個の回転ドラムを横に連装したドラムユニットと、メダルを貯留し放出するためのメダル払出し装置をそれぞれ格納し、その開放する前面を前扉によって被う構造になっている。
【０００３】
上記ドラムユニットは通常本体枠の上部の格納空間に収め、前扉の上部に設ける透視窓を通して回転ドラムの前面部分が視認できるようにしてある。また本体枠の下部の格納空間に収められるメダル払出し装置は前扉によって完全に被われるようにしてある。そして、前扉の高さの略中央部分に遊技を実行するための操作用の諸設備、例えばメダルの投入個数を設定するボタンや回転ドラムを始動させるスタートボタン、各回転ドラムにつき停止させるストップボタンや、メダルの投入口、クレジットボタン、払戻しボタン等が設けられるようになっている。
【０００４】
更に、これらの設備が設けられる下側の前面部分にはスロットマシンの機種を表す文字や図形を施す表示部が設けられ、その下方に払出されるメダルを受ける受皿が、そして背面側には前記メダル投入口を通して投入されるメダルを選別するためのセレクターや効果音を発するスピーカー等が設備される。
【０００５】
スロットマシンは、使用中に内部に装備する諸装置を不正に操作されるのを防止するため前面を密閉し、堅固に防護しており、このため前記透視窓を設け、操作用の諸設備を備える前記前扉は堅牢に作られ、本体枠に対してしっかり止め付けられる構造になっており、一般には本体枠から分離されることのない構造になっている。
【０００６】
この様なことから従来のスロットマシンは本体枠とこれの前面を被う前扉からなる外観形状は常に一体のものとなっており、またこれに組込まれるドラムユニット、メダル払出し装置も本体枠と一体のものにして故障等により部品の交換が行われない限り変更されることがないものとなっている。
従って、遊技仕様を変更したり、スロットマシンの外観を変えて模様替えをしようとする場合は、スロットマシンそのものを取り替えることになっていた。
【０００７】
しかし、遊技仕様の変更を行わず長期に亘って使用したり、一定のデザインの下での長期使用は遊技者に飽きられ趣興を損ねるものとなり、ひいては遊技場の営業に悪影響を及ぼすものとなることから、これを解決する一つの方法として本体枠、そしてメダル払出し装置や遊技の操作用手段等スロットマシンに共通して使用される部分を残して遊技仕様を実質的に変更し、併せて外観の主要部も変更することができるドラムユニットと、これに直接的に関連する装飾機能を併せ備えた表示手段を一体的に本体枠から切り離し、これを独立して交換できるようにしたスロットマシンが提案されている。
【０００８】
例えば、特開平１０ー５２５２５号公報に記載されるスロットマシンの構造がその一例である。
上記提案のスロットマシンは、本体箱（本体枠）２０に対してその前面を塞ぐ前扉４０を表示窓４１を有する上部ドア９０と、装飾パネル１０１を有する下部ドア１００とから構成し、これらのドアをヒンジ装置３０を介して前記本体箱２０の一側縁に開閉自由に取り付けるようにしたものであり、各ドア９０，１００をそれぞれヒンジ装置３０を外すことによって本体箱２０から個別に取り外してこの部分を交換できる構造としたものである（特許文献１）。
【０００９】
【特許文献１】
特開平１０ー５２５２５号公報  第２頁左欄第２４行目〜第３２行目、第５頁右欄第２２行目〜第３８行目、図１、図２。
【００１０】
ここに提案されたスロットマシンは、上下のドア、つまり上部扉部分と下部扉部分を個別に交換可能にすることで、スロットマシンを部分的に変更することができるようにしたものであり、この部分的交換によって外観の変更と機能（若しくは仕様）の変更、ことに上部ドアにおいてはリール装置１１０、つまり回転ドラムのユニットを一緒に備えるものとすることによってゲーム仕様を交換変更することができるものとしているのである。
【００１１】
【発明が解決しようとする課題】
しかし、この従来の部分的交換を可能にしたスロットマシンは、ゲーム仕様を変更するドラムユニット（リール装置）を含む入れ替えを可能にする点で、それまでのスロットマシン全部をそっくり入れ替える場合に近い効果を挙げることができるが、更に簡略、且つ有効な模様替えを考えた場合、前扉とこれに一体をなすドラムユニットとを併せて交換する方法は未だ充分な解決策とはならない。
【００１２】
本発明は、この様な点に鑑み開発されたもので、ゲーム仕様の変更に繋がるドラムユニットを単独で交換し、スロットマシンの実質的変更を簡便に行えるようにし、またこのドラムユニットの交換時にその前面を被う前扉を隣接のスロットマシンに邪魔されることなく開放を可能にして手際よく脱着交換の作業ができるようにしたスロットマシンを提供せんとするものである。
【００１３】
また、本発明は前記開閉される前扉の前記ドラムユニットの前面を被う上部扉部分を単独での交換を可能にしてスロットマシンの外観を変更し、遊技者に新機種の入れ替えに相当する意匠的印象の変更を与えて新鮮味を出せるようにしたスロットマシンを提供せんとするものである。
【００１４】
【課題を解決するための手段】
本発明は、上述の目的を達成するため、複数個の回転ドラムを連装してなるドラムユニットをスロットマシンの箱形をなす本体枠とは別体にして該本体枠内部に付設する支持用ガイドレールを介して出し入れ自由に滑合支持し、その出し入れ交換を可能にする一方、該ドラムユニットを被う本体枠前面に設けられる前扉を開閉自由に支持してドラムユニットを本体枠から単独で引き出し交換できるようにしたことにある。
【００１５】
また本発明は前記前扉の前記ドラムユニットを被う上部扉部分を下部扉部分から切り離し、単独での開閉を可能とする一方、該上部扉部分の上縁部を本体枠の前面開口部上縁部に蝶着支持して跳上げ方向への開閉を可能にし、これによって前扉の開放時に隣接のスロットマシンに妨げられることなく開放し、ドラムユニットの出し入れ交換が行えるようにしたことにある。
【００１６】
本発明を更に詳述すると、本発明は本体枠の上部格納空間にドラムユニットを収め、下部格納空間にメダル払出し装置を収める一方、前面開口部を前扉によって閉塞してなるスロットマシンにおいて、前記本体枠の上部格納空間には前後方向に支持用ガイドレールを付設し、前記前面開口部から挿入する前記ドラムユニットを出入れ自由に誘導し支持する一方、前記前扉を前記ドラムユニットを被う上部扉部分と前記メダル払出し装置を被う下部扉部分とに分離し、前記上部扉部分の上縁部を前記前面開口部の上縁部に開閉自由に蝶着支持し、前記ドラムユニットの出入れ時乃至保守点検時に跳上げ方向に開放可能にしてなることを特徴としたスロットマシンを提供することにある。
【００１７】
また本発明は、前記上部扉部分はドラムユニットの前面部と対面する中央部に透明板で被う透視窓を設け、閉塞時に該透視窓を通して前記ドラムユニットを視認可能にしてなることを特徴としたスロットマシンを提供することにある。
【００１８】
また本発明は、前記上部扉部分の前面上部にはトップランプを備えてなることを特徴としたスロットマシンを提供することにある。
【００１９】
また湾は、前記本体枠の前面開口部を被う下部扉部分の前面には上部に遊技操作用のボタン類を設備する操作台を備え、下部に放出メダルを受ける受皿を備えてなることを特徴としたスロットマシンを提供することにある。
【００２０】
また本発明は、前記上部格納空間に付設する支持用ガイドレールは本体枠の左右側板に相対向して水平に付設し、他方ドラムユニットには両側部に滑合部を備えて前記それぞれの支持用ガイドレールに滑合支持させ、前記左右の側板間に架設状態で支持させてなることを特徴としたスロットマシンを提供することにある。
【００２１】
また本発明は、前記本体枠の前面開口部の上縁部には両側部に前方に向け突き出す枢着片を相対向する如く備え、該枢着片の先端部に枢着軸を介して上部扉部分の上縁部両側部を回動自由に枢着支持し、跳上げ方向に開放可能にしてなることを特徴としたスロットマシンを提供することにある。
【００２２】
また本発明は、前記本体枠の上部内側面には先端に受部を備えた軸受部材を本体枠の前面開口部に対して出入れ自由となるように支持し、該軸受部材の前記受部に上部扉部分の上縁部を枢着軸を介して回動自由に枢着支持し、該上部扉部分の開放時には前記軸受部材を前方に引き出し、閉塞時には後方に戻して本体枠の前面開口部を密閉することを特徴としたスロットマシンを提供することにある。次に、本発明の実施の形態を図示する実施例に基づき詳述し、これを明らかにする。
【００２３】
【発明の実施の形態】
【実施例１】
図１乃至図５は本発明に係るスロットマシンを示す一例であり、図１はスロットマシンの斜視図、図２は前扉の上部扉部分を跳上げて開放した状態を示す斜視図、図３は同じく上部扉部分を取外した状態を示す斜視図で、図４はスロットマシンの右半側に片寄った位置で断面とした拡大縦断右側面図であり、図５は上部扉部分を跳上げ開放すると同時にドラムユニットを引き出した状態を示す拡大縦断右側面図である。
【００２４】
本体枠１は、前面を開放する縦長の箱形をなしており、その開口部２を前扉３によって閉塞するようにしてある。そして、その内部には上部の格納空間４にドラムユニット５を収め、下部の格納空間６にメダルの払出し装置７を収容している。
上記上下の格納空間４、６は本体枠１の内部を上下に略２分するものとなっている。この２分された空間４、６を個別に塞ぐように前記前扉３は上下に分割され、上部扉部分３ａと下部扉部分３ｂになっている。
【００２５】
上部扉部分３ａはこの実施例では略矩形の額縁形に形成してあり、上縁部に沿った前面に全幅に亘ってトップランプ８を備え、開口する内周には透明板９を嵌め込みドラムユニット５の前面がこの透明板を透して覗けるようにしてある。
【００２６】
上記上部扉部材３ａは本体枠１の上縁部左右に備えるヒンジ装置１０、１０によって跳上げ方向に開放できるように支持されている。
上記ヒンジ装置１０は断面アングル形をなす取付片部１０ａと、その前端縁から前方に向けて突き出す枢着片１０ｂからなり、前記上部扉部材３ａの側縁上端部に取付片部１０ａを添わせ、これに設ける軸受部１１に枢着軸１２を介して枢着連結してある。
【００２７】
上部扉部分３ａは跳上げられたとき、上記枢着片１０ｂの突き出しによって軸１２の枢着点が前方に位置することから前方に突き出す前記トップランプ８と本体枠１との衝突を回避することができることになる（図５を参照）。
尚、前記枢着片１０ｂの突き出し量はトップランプ８の突き出し量の２分の１以上あれば本体枠１の上部前縁とトップランプ８の頂部との衝突は回避され、上部扉部分３ａを１８０度跳ね上げ起立させることができる。
【００２８】
一方、本体枠の前面開口部２の下半部を被う下部扉部分３ｂは、主として遊技者がスロットマシンを操作するため設備される諸種の操作用装置を備えるものとなっており、ここでは前面の上縁部に沿って前方に突出する操作台１３を全幅に亘り設けている。
上記操作台１３の上面部左端側にはメダルの投入個数を１個、２個と設定する投入個数設定ボタン１４を横列に３個配置し、右端側にはメダルの投入口１５を配置している。
【００２９】
そして、操作台１３の前面部にはゲームを始動させるスタートレバー１６と、３個のストップボタン１７ａ、１７ｂ、１７ｃと、クレジットモードの設定用ボタン１８、そしてメダルの詰りを解除する解除用ボタン１９を設置し、その右端には閉塞する下部扉部分３ｂのロック装置（図示せず）を解除するための鍵穴２０が設けてある。
【００３０】
図中、２１は機種名や図形、模様等を表示する内部に照明灯２２を備えた表示板で、２３はメダルの払出し口、２４は払出されたメダルを受ける受皿である。この下部扉部分３ｂの背面側上部には前記メダル投入口１５からのメダルを選別するセレクター２５があり、前記メダル払出し装置７の上部ホッパー７ａに臨むようにしてあり、下部には景品として払出し装置７から放出されるメダルを受けて前記払出し口２３に渡す誘導口２６が設けてある。
【００３１】
下部扉部分３ｂは左側縁部の上下にヒンジ装置２７、２７の一方の蝶着片を固定し、本体枠１の前面開口部２の左方の縁部に固定する他方の蝶着片に枢着軸（図示せず）を介して枢着することによって本体枠１に組付けられ、このヒンジ装置２７、２７を支点にして前方に向けて開放し、前記メダルの払出し装置７の前面を開くことができるようにしてある。
この開放は払出し装置７にメダルを投入する場合等に行われ、常時はロック装置によって施錠され、前記鍵穴２０の操作によって開放操作されるようになっている。
【００３２】
ところで、上下の扉部分３ａ，３ｂを下部扉部分３ｂの上縁部に沿って設ける操作台１３の上縁を境として分離していることから、本実施例では上記操作台１３に備える前述した各種操作ボタン類に本体枠１側から引き出す配線コードを前記ヒンジ装置２７により蝶着される左側縁側から下部扉部分３ｂに引き入れ接続することができることになっている。このため前記配線コードを短くすることができ、しかも纏め易いことから配線作業の際に容易であると共に、作業中に断線するような心配も少なくて済むことになっている。
また、この様なことから上部扉部分３ａには上記配線の引き込みが省略されることから軽量化が図られ、跳ね上げ開放作業が容易に行えることになる。
【００３３】
さて、前記上部扉部分３ａによって前面を被われるドラムユニット５は、本実施例の場合、３個の回転ドラム２８ａ、２８ｂ、２８ｃを主体として構成してある。そして、ここでは上記回転ドラムに加えてこの回転ドラムの当り状態を設定したり、遊技設定を選択してこれを表示したり、所定の当り状態となったときこれを表示したり、更には遊技の進行状態や当り状態を演出するための表示用のランプや装飾用のランプを設定する表示パネル枠２９を組合せ、構成している。
【００３４】
上記３個の回転ドラム２８ａ、２８ｂ、２８ｃは基板３０から起立させた門形のフレーム３１の中に収めて、更にこの支持フレーム３１内を３分割する如く起立する図示しない支持板の間に個別に収めて、支持フレームと支持板との間に渡すそれぞれの支軸に軸承させて各回転ドラムがそれぞれ自由に回転するようにしてある。そして、各回転ドラムは個別に備えるステッピングモータにより個々に回転し、又停止するようにしてある。
【００３５】
前記支持フレーム３１によって支持された回転ドラムを取り囲むように基板３０の両側部後端からは倒Ｌ字形をなすフレーム３２を立設してあり、その上枠部の先端と前記基板３０の先端縁との間に表示パネル２９を渡し、起立した状態で支持し、前記回転ドラム２８ａ、２８ｂ、２８ｃの前方に立ち上がるようにしてある。
【００３６】
上記表示パネル枠２９は、表示パネル２９ａとランプを収容する枠体２９ｂから構成してある。
上記枠体２９ｂは前後に厚みを有した矩形の箱形に形成して中央部に前記３個の回転ドラム２８ａ、２８ｂ、２８ｃの前面部分を覗かせる窓３３を開設してあり、前面の周縁部には縁片３４を突設してこの内周部分に矩形に形成する表示パネル２９ａを嵌め入れ結合するようにしてある。そして、中空にした内部３５にはランプ基板３６に取付けたランプ３７を背後から臨ませ、前面を被う表示パネル２９ａを照らすようにしてある。
【００３７】
表示パネル２９ａは、透明なガラス板、或はプラスチック板から形成し、中央部分には前記枠体２９ｂの窓３３に対応させて窓３８を設け、その他の周縁部を半透明若しくは不透明にして前記中空の内部３５に収まるランプ３７を被うようにしてある。そして、このランプ３７を被う半透明若しくは不透明部分に機種を表示し、或は装飾する図柄模様３９を表すと共に、その下方にクレジットメダル数を表示する表示部４０、大当りラウンド表示部４１、メダル払出数表示部４２を左から横列に配置している。
【００３８】
そして更に、前記窓３８の左方には縦に５個の遊技状態を報知する報知部４３を設け、窓３８の左右の縁部には左右対称状に５個のライン表示部４４…と、４５…を設け、また窓３８の下方には前記回転ドラム２８ａ、２８ｂ、２８ｃに各対応するように３個の回転状態を表示する表示部４６を設けている。そして、透明である窓３８の表面には前記左右のライン表示部４４、４５を結ぶように遊技の「当り」関係を表示する表示ラインが引かれる。
【００３９】
前記各表示部３９、４０、４１、４２、４３……のそれぞれの背後には前記ランプ３７が位置して遊技制御装置４７からの指示に従って点灯し、表示することになる。
これらの表示部は前記回転ドラム２８ａ、２８ｂ、２８ｃと連動するものについては前記遊技制御装置４７を介して関係付けられる。例えば前記ストップボタン１７ａ〜１７ｃが操作されたとき、その操作に従って各回転ドラムのステッピングモータが停止し、併せて表示部４６のランプ３７が消灯して回転の停止操作がされたことを表示する如く、関係付けられ連動するものとなる。
【００４０】
尚、ここでは上記ランプ３７を収める枠体２９ｂはプラスチックを材料に形成したランプケースになっており、前記各表示部に対応させて内部３５を仕切り、全体的にハニカムコア状に形成して多くの小部屋に形成してあり、これらにランプ３７を収め、また数字を表現する表示部、例えばクレジットメダル数を表示する表示部４０や大当りラウンド表示部４１、メダル払出数表示部４２等には７セグメント表示器４８を収めるようにしてある。
【００４１】
図中、４９は前記表示パネル枠２９に組付けた液晶表示装置である。
この液晶表示装置４９は大当り予告や小当り獲得のためのストップボタン操作の手順等、遊技の進行状況に伴う諸情報を動画として画像表現するものになっており、遊技者に報知する手段としてここでは前記回転ドラム２８ａ，２８ｂ，２８ｃに並べて右側に配置し、回転ドラムの作動状態と合せて見ることができるようにしてある。
【００４２】
上記構成に係る表示パネル枠２９は、表示パネル２９ａと枠体２９ｂを組合せ完成させたのち、前述したようにフレーム３２に支持させてドラムユニット５に組付ける。この組付けに当って遊技制御装置４７とランプ基板３６、ステッピングモータの配線基板４９とをコード５０、５１を介して接続することになる。
【００４３】
一方、ドラムユニット５を格納する本体枠１の上部格納空間４にはドラムユニット５を出入れ自由に支持する一対の支持用ガイドレール５２、５２が付設される。
この支持用ガイドレール５２は本体枠１の左右の側板５３の高さの途中にそれぞれ前面開口部２から背面板５４に向けて水平をなし、向い合せとなるよう付設され、ドラムユニット５の左右両側を支持するようにしてある。この支持用ガイドレールによるドラムユニット５の支持方法は上下の格納空間４、６を仕切らないようにするためであり、これにより本体枠の内部空間が広くなり作業が容易になる。
【００４４】
即ち、従来一般には本体枠１の内部中間位置に横断するように棚板を架設してこれにドラムユニットを載置固定する方式を採用しているが、この棚板を架設する方式は本体枠内部を二分する結果、空間が狭くなる問題がある。このため内部にドラムユニットや払出し装置を持ち込み組立てるとき、或は多数の配線を付設する際、更には払出し装置にメダルを補給する際に棚板が邪魔になり作業を妨げる問題があった。前記支持用ガイドレール５２、５２による支持方式は上記中間に架設する棚板を省略するためこの問題を解決するものとなる。
【００４５】
前記ドラムユニット５は円滑な支持を図るため、基板３０の両側縁部に滑合部材となるローラ５５を備え、このローラ５５を前記支持用ガイドレール５２に滑合させて本体枠の左右の側板５３、５３間に渡るようにしてある。そして、必要に応じて支持用ガイドレールに沿って前方に引き出し、また押し入れて格納できるようにしてある。
【００４６】
本発明スロットマシンは上述の様に構成されるもので、使用時には図１、図４に示したようにドラムユニット５を上部格納空間４に収め支持用ガイドレール５２で支持し、併せて上部扉部分３ａを閉塞し、その窓を通して表示パネル枠２９の前面を覗けるようにして、遊技に供することになる。
【００４７】
このスロットマシンにおいて、遊技仕様を変更する場合、或はこの遊技仕様の変更に併せて表示パネル枠２９に表される意匠を変更する場合にはドラムユニット５の前面を被う上部扉部分３ａを開放し、支持用ガイドレール５２を案内にして引き出し、遊技仕様を変えた新たなドラムユニットと入れ替えることになる。
【００４８】
上記上部扉部分３ａの開放は、前述したようにヒンジ装置１０の枢着軸１２を支点にして跳上げ方向に押し上げることによって行われる。
図２は開放途中の状態を示しており、最終的には図５に示した如く１８０度回動させて本体枠１の前方より退避させ、ドラムユニット５の出入れ作業の妨げとならないようにする。
【００４９】
この開放において上部扉部分の上縁部から前方に突出するトップランプ８はヒンジ装置１０の枢着片１０ａの突き出しによって本体枠上縁部との衝合が回避されると共に、その上部に設けられる幕板５６に設定される表示装置５７との衝突からも回避され、略起立した状態まで跳上げ開放されることになる。
【００５０】
このため、上部格納空間４に収められたドラムユニット５は上部扉部分３ａに邪魔されることなく出入れの交換作業が行えると同時に、上部扉部分３ａは起立した状態に保持されることから、この出入れ作業の妨げとなることはない。
しかも、本発明スロットマシンにおける上記上部扉部分３ａは、開放時に跳上げ方向に退避するため隣接して設置されるスロットマシンに邪魔されることも、また邪魔することもなく開閉操作が行えることになる。
【００５１】
【実施例２】
図６乃至図９は上部扉部分３ａを跳上げ開放するその外の構造につき示した本発明スロットマシンの第２の実施例を示したものである。尚、図面において前記実施例１と同一の部所については同一の符号を付してその説明を省略することにする。以下、後述する実施例３についても同様とする。
この実施例は、実施例１において本体枠１に固定されたヒンジ装置１０を介して上部扉部分３ａを枢着する構造にしたのに対して、上部扉部分３ａを摺動板６１の先端部に支軸６２を介して回動自由に枢着し、開放時に上記摺動板６１を前方にスライドさせて前記支軸６２の枢着位置を本体枠１の前方に移動させ、これによって表示装置５７との衝突を回避するようにした例である。
【００５２】
そして、ここでは開閉される上部扉部分３ａと本体枠１との間に支えとなる２つ折りのリンク部材６３を介挿し、開放時に直線状に伸長させて跳上げられた上部扉部分３ａが任意に閉塞しないようにしてある。
【００５３】
次に、この実施例を図面につき詳述すると、前記摺動板６１は本体枠１の内部横幅に略等しい横幅をもった金属板から形成してその両側縁に前後方向に長さを有するガイド孔６４、６４を形成し、これに本体枠１の上板６５の下面に植設する頭付きピン６６を滑合させて前後方向に摺動自由となるよう支持してある。
【００５４】
そして、この摺動板６１には前縁部に沿って溝形の受部６７を形成し、この受部の左右両端に前記支軸６２を横向きに配置してこの支軸の側方に突き出す端部を前記上部扉部分３ａの上縁部の両端に設ける軸受部に内側から突き入れ軸着して組付けるようにしてある。
【００５５】
一方、リンク部材６３は長さの途中を軸６８で折り曲げ自由に連結し、その両端を本体枠の開口部縁と上部扉部分３ａの上部に近い側縁部にそれぞれピン６９、７０を介して回動自由に枢着してあり、上部扉部分３ａの閉塞時には図６に示したように２つに折り曲げて本体枠内部にたゝみ込み、開放時には図７に示したように直線状に伸して２つのリンクの端部を衝き合せ上部扉部分３ａを跳上り状態に維持する。
【００５６】
尚、図示しないが軸６８で連結される２本のリンク部材６３，６３にばねを作用させて両リンク部材が伸長する方向に付勢すると、例えば前記ピン６９に巻きばねを巻装してその一端を本体枠の側板５３に、他端をリンク部材６３に掛け止めてこの両者間に縮設し、２つに折りたたまれるリンク部材を伸長する方向（図７において反時計方向）に付勢するようにすると、上部扉部分３ａの開放時の跳ね上げ負担を軽減することができ、また跳ね上げ姿勢を保持する上で有効となり、更には扉の閉塞時に付勢による抵抗で急激な閉塞を回避することができることになる。
【００５７】
この実施例は摺動板６１を使って上部扉部分３ａの開放時に前方に迫り出させることに特徴を有するもので、この迫り出しによって上部扉部分３ａに備えられるトップランプ８の衝突や表示装置５７との衝突を回避することができるものとなる。
【００５８】
【実施例３】
図１０乃至図１２は本発明の第３の実施例を示したものである。この実施例は、上部扉部分３ａを跳上げ方向に開放可能にすると共に、必要とするときこの上部扉部分３ａを本体枠１の前面開口部２から容易に取り外せるようにした例である。
図中、９１は上部扉部分３ａを本体枠に対して開閉自由に蝶着するための軸受部材であり、９２は上部扉部分３ａの上縁部両端に備えた支軸である。
【００５９】
軸受部材９１は本体枠の上面板６５の下面に止着し、断面Ｕ字形に屈曲成形した受部９１ａを前面開口部２から突き出し、この受部９１ａに前記支軸９２を受け入れることで結合し、回転自由に支持するものとなっている。
【００６０】
上部扉部分３ａは使用状態にあるとき、図１０に示したように閉じて上部格納空間４に収められるドラムユニット５の前面を被うと共に、周縁部に沿って設ける後向きの縁９３を前面開口部２の周縁部に沿って前方に突出する縁部９４に被せ、この前面開口部２を閉塞するようにしてある。
このとき、軸受部材の受部９１ａに結合した支軸９２は上方への移動が拘束されるため結合状態を維持することになる。
【００６１】
そして、ドラムユニット５の引き出し等によって開放する際は、前記支軸９２を支点にして上方に跳上げることになり、側方への衝突を気付うことなく開放することができることになる。
前方に開かれた上部扉部分３ａは縁９３を前面開口部２の縁部９４から外して上方への持ち上げ移動が可能となることから、軸受部材９１の受部９１ａから支軸９２を外すことができる。従って、必要とする場合は開放後、この上部扉部分３ａを本体枠１から簡単に外すことができ、ドラムユニット５の交換作業に際して、或は上部扉部分３ａ自体を交換する場合に便利に行うことができる。
【００６２】
図中９５、９６は支持用ガイドレール５２に滑合支持されたドラムユニット５を固定する環付きの係止具と鉤形のフックである。
係止具９５は図１２に示したように本体枠１の側面板５３に固定板９７をビス９８で止め付け、係止環９９をドラムユニット５の側面上部に設けるフック１００に掛け止めた後、係止環のレバー１０１を倒すことで上記フック１００を引き付けながら固定できるようにしたものである。図示しないが、ここでは左右の側面板５３の内面に１個づつ用意してドラムユニットを固定するようにしてある。
【００６３】
一方、鉤形のフック９６は側面板５３に回動自由に軸止めして先端の鉤部９６ａをドラムユニットの支持フレーム３１の側面に設ける係止部１０２に掛け止めることでドラムユニット５の移動を拘束するものとなっており、このフック９６も左右の側面板５３の内面に備えられドラムユニット５の両側部を止め付けられるものとなっている。
これらの拘束手段は前記実施例１、実施例２においても採用することができることは言うまでもない。また実施に当ってはいずれか一方の拘束手段を採用するようにしてもよく、両手段を採用する必要はない。
【００６４】
尚、図中１０３はドラムユニット５のフレーム３２の上部に固定した遊技制御回路基板を内蔵するボックスであり、１０４は上部扉部分３ａのトップランプ８の直下の空間に装置した表示用の液晶表示装置である。
この実施例では上記液晶表示装置１０４を組入れることからドラムユニット５のフレーム３２の高さを低くし、併せて表示パネル枠２９を低く形成してその上部に格納空間を確保し、上部扉部分３ａの閉塞時に液晶表示装置１０４の侵入が妨げられないようにしてある。
【００６５】
【発明の効果】
以上本発明を各実施例につき詳述したが、上述説明において明らかな様に本発明は、本体枠１に対してドラムユニット５を取出し自由に組付ける構造としたことから、このドラムユニット５を単独で交換し、遊技仕様を容易に変更することが可能である一方、この交換に当って本体枠１の前面を被う前扉をドラムユニット５を被う上部扉部分３ａについてのみ開放することで交換作業が行えることから極めて作業が容易になる。
【００６６】
そして、本発明においては、上記上部扉部分３ａは開放時跳上げ方向に回動して開き、隣接して設置される他のスロットマシンに全く影響を与えることなく作業ができる一方、本体枠前面の上方空間を利用して完全に跳上げ開放することが可能であるため、例えばドラムユニットを引き出す際にも全く邪魔になることなく作業ができる利点がある。
【００６７】
また、本発明における上部扉部分３ａは前扉３の略半分の大きさになっていることから開閉作業に当って作業負担が小さくて済み、また跳上げられる上方空間も上部扉部分３ａを収めるに足る空間で済むことになる。
【００６８】
また本発明においては、上部扉部分３ａを開放するのに併せてヒンジ装置を分解することで、例えば前述した如く支軸を外すことで枢着状態を解き、本体枠１から外すことができることから、この上部扉部分３ａを他のものと交換することができる。
従って、本発明ではスロットマシンの前面を飾る上部扉部分３ａの交換により意匠の変更を通してスロットマシンの模様替えを容易且つ迅速に行うことができる。
【００６９】
更に上記上部扉部分３ａの交換と同様に、この窓に嵌め込む透明板９の交換によってドラムユニット５の前面に配置される表示パネル枠２９に合せた表示、装飾に交換が可能であることから更に自由に、且つ容易にスロットマシンの模様替えを行うことができる。
【図面の簡単な説明】
【図１】本発明に係るスロットマシンの斜視図。
【図２】上部扉部分の開放途中を示す斜視図。
【図３】上部扉部分を外した状態の斜視図。
【図４】使用状態における正面において右方に片寄った位置で断面とした拡大縦断右側面図。
【図５】上部扉部分を跳上げ開放し、ドラムユニットを本体枠から取り出した状態の図４と同一位置で断面とした拡大縦断右側面図。
【図６】第２の実施例におけるドラムユニットの一部を省略した拡大縦断右側面図。
【図７】図６において上部扉部分を跳上げ開放すると共に、ドラムユニットを取出した状態における拡大縦断右側面図。
【図８】第２の実施例における一部分解した状態における斜視図。
【図９】上部扉部分とヒンジ装置の関係を説明する分解斜視図。
【図１０】第３の実施例における正面において右寄りの位置で断面とした拡大縦断右側面図。
【図１１】図１０において上部扉部分を開放するのに併せてドラムユニットを取出した状態を示す拡大縦断右側面図。
【図１２】係止具を説明する一部断面とした平面図である。
【符号の説明】
１                  本体枠
２                  前面開口部
３                  前扉
３ａ                上部扉部分
３ｂ                下部扉部分
４                  上部格納空間
５                  ドラムユニット
６                  下部格納空間
７                  メダル払出し装置
８                  トップランプ
９                  透明板
１０                ヒンジ装置
１０ａ              取付片部
１０ｂ              枢着片
１１                軸受部
１２                軸
１３                操作台
２８ａ、２８ｂ、２８ｃ    回転ドラム
２９                表示パネル枠
２９ａ              表示パネル
２９ｂ              枠体
５２                支持用ガイドレール
５５                ローラ
【図１】
2004275567.tif 000003
【図２】
2004275567.tif 000004
【図３】
2004275567.tif 000005
【図４】
2004275567.tif 000006
【図５】
2004275567.tif 000007
【図６】
2004275567.tif 000008
【図７】
2004275567.tif 000009
【図８】
2004275567.tif 000010
【図９】
2004275567.tif 000011
【図１０】
2004275567.tif 000012
【図１１】
2004275567.tif 000013
【図１２】
2004275567.tif 000014